(57)【要約】本発明は、プラスチック浸透ブロックに関し、当該ブロックは、浸透または減衰目的の、複数の浸透ブロックを組み合わせて地下構造物にするように適合されている。浸透ブロックは、実質的に長方形で平行六面体状の本体を有し、当該平行六面体状の本体は、対向する、第１の面の対、第２の面の対および第３の面の対を有する。浸透ブロックを、少なくとも１つの点検用チャネルが貫通し、また、点検用チャネル開口部が、浸透ブロックの対向する第３の面に配置される。各点検用チャネル開口部の面積は、各点検用チャネル開口部が配置される第３の面の面積の大きさの少なくとも１０％である。浸透ブロックは、単一の浸透ブロック要素または複数の結合浸透ブロック要素を含み、１つまたはそれ以上の点検用チャネルの１つまたはそれ以上の点検用チャネル部分品は、単一または複数の結合される浸透ブロック要素により定められる。少なくとも１つの浸透ブロック要素は、一部品型のプラスチック構造物であり、当該構造物は、実質的に長方形で平行六面体状の本体を有し、側部体部分が、１つまたはそれ以上の点検用チャネル部分品の実質的に対向する面にあり、また、少なくとも１つの中間体部分が、側部体部分同士の間に配置されている。側部体部分は、浸透ブロックの第１の面を形成し、中間体部分は、浸透ブロックの第２の面を形成する。前記一部品型のプラスチック構造体浸透ブロック要素の側部体部分および１つまたはそれ以上の中間体部分は、複数のダクト壁の格子により実質的に形成され、当該ダクト壁は、実質的に平行で、各第１の面と、浸透ブロック要素の１つまたはそれ以上の点検用チャネルとの間を、かつ各第２の面と、浸透ブロック要素の１つまたはそれ以上の点検用チャネルとの間を延びるダクトを形成する。１つまたはそれ以上の点検用チャネル開口部により覆われる全面積は、この１つまたはそれ以上の点検用チャネル開口部が配置される浸透ブロックの第３の面の面積の大きさの少なくとも半分である。
2008502825.tif 000002
【特許請求の範囲】
【請求項１】
複数のプラスチック浸透ブロック（１）を組み合わせて浸透または減衰を目的とする地下構造物（２）にするように適合された浸透ブロックであって、
当該浸透ブロックは、実質的に長方形で平行六面体状の本体を有し、当該平行六面体状の本体は、対向する、第１の面の対、第２の面の対、および第３の面の対を有し、
前記浸透ブロックの中を、少なくとも１つの点検用チャネル（３）が貫通し、前記浸透ブロックの対向する第３の面（５）には、点検用チャネル開口部（４）が配置され、それによって、各点検用チャネル開口部の面積は、当該点検用チャネル開口部が配置される前記第３の面の面積の大きさの少なくとも１０％であり、
前記浸透ブロックは、単一の浸透ブロック要素または複数の結合浸透ブロック要素を含み、前記１つまたはそれ以上の点検用チャネルの１つまたはそれ以上の点検用チャネル部分品は、結合される単一または複数の浸透ブロック要素により定められ、
少なくとも１つの浸透ブロック要素は、一部品型のプラスチック構造体であり、当該プラスチック構造体は、実質的に長方形で平行六面体状の本体を有し、複数の側部体部分（７）が、実質的に前記１つまたはそれ以上の点検用チャネル部分品の対向する面にあり、また、少なくとも１つの中間体部分（８）が、前記複数の側部体部分同士の間に配置され、前記浸透ブロックの第１の面は、前記複数の側部体部分により形成され、前記浸透ブロックの第２の面は、前記中間体部分により形成され、
前記一部品型のプラスチック構造体浸透ブロック要素の前記複数の側部体部分および１つまたはそれ以上の前記中間体部分は、複数のダクト壁からなる格子により実質的に形成され、当該複数のダクト壁は、実質的に平行で、各第１の面と前記浸透ブロック要素の１つまたはそれ以上の点検用チャネルとの間を、かつ、各第２の面と、前記浸透ブロック要素の１つまたはそれ以上の点検用チャネルとの間を延びるダクトを形成すること、および
前記１つまたはそれ以上の点検用チャネル開口部により覆われる全面積は、この１つまたはそれ以上の点検用チャネル開口部が配置される前記浸透ブロックの第３の面の面積の大きさの少なくとも半分であることを特徴とする、浸透ブロック。
【請求項２】
前記１つまたはそれ以上の点検用チャネルの断面は、実質的に長方形である請求項１に記載の浸透ブロック。
【請求項３】
前記１つまたはそれ以上の点検用チャネルの断面は、実質的に丸いかまたは円形である請求項１に記載の浸透ブロック。
【請求項４】
前記１つまたはそれ以上の点検用チャネルの断面は、前記浸透ブロック要素の長さにわたって同形である請求項１から３のいずれかに記載の浸透ブロック。
【請求項５】
２つまたはそれ以上の平行な点検用チャネルが存在する請求項１から４のいずれかに記載の浸透ブロック。
【請求項６】
前記平行な点検用チャネル同士の間を、１つまたはそれ以上の横断チャネルが延び、それによって、好ましくは、前記各横断チャネルの断面は、それが配置される前記ブロックの対応の断面の少なくとも１０％である請求項５に記載の浸透ブロック．
【請求項７】
前記１つまたはそれ以上の浸透ブロック要素は、前記中間体部分に貫通開口部を切り抜いて前記貫通開口部が点検用チャネルに通じる助けとなるように１つまたはそれ以上の切り抜き補助部が設けられる請求項１から６のいずれかに記載の浸透ブロック。
【請求項８】
前記貫通開口部には、フィルタ要素などの特定の要素が配置され、当該特定の要素は、好ましくは取り外し得る請求項７に記載の浸透ブロック。
【請求項９】
前記点検用チャネル開口部には、円錐形アダプタ要素、閉鎖部、補強要素または連結要素などの特定の要素が、配置され、当該特定の要素は、取り外し得ることが好ましい請求項１から８のいずれかに記載の浸透ブロック。
【請求項１０】
前記１つまたはそれ以上の浸透ブロック要素には、前記浸透ブロック要素同士を相互に連結するために１つまたはそれ以上の連結手段が設けられる請求項１から９のいずれかに記載の浸透ブロック。
【請求項１１】
前記１つまたはそれ以上の浸透ブロック要素には、フォークリフトのフォークを受け入れるための、２つまたはそれ以上の平行なフォークリフトチャネルが設けられる請求項１から１０のいずれかに記載の浸透ブロック。
【請求項１２】
前記１つまたはそれ以上の浸透ブロック要素は、射出成形により一体的に製造される請求項１から１１のいずれかに記載の浸透ブロック。
【請求項１３】
前記浸透ブロック要素は、射出成形型において製造され、当該射出成形型は、前記点検用チャネル部分品を形成する１つまたはそれ以上のコア要素に隣接したまたはそれを囲む複数の水平方向のコアおよび垂直なコアを含む請求項１２に記載の浸透ブロック。
【請求項１４】
組み合わせて請求項１から１３のいずれかに係る浸透ブロックにするように適合された請求項１から１３のいずれかに記載の浸透ブロック要素。
【請求項１５】
請求項１から１４のいずれかに係る１つまたはそれ以上の浸透ブロックを相互連結することにより形成される地下構造物。
【請求項１６】
前記浸透ブロックを、水平方向の長手方向軸線を有する点検用チャネルが得られるように連結した請求項１５に記載の地下構造物。
【請求項１７】
前記浸透ブロックを、垂直な長手方向軸線を有する点検用チャネルが得られるように連結した請求項１５に記載の地下構造物。
【請求項１８】
前記浸透ブロックを、垂直な長手方向軸線を有する点検用チャネルと、水平方向の長手方向軸線を有する点検用チャネルとを組み合わせた点検用チャネルシステムが得られるように、連結した請求項１５に記載の地下構造物。
【請求項１９】
水を周りの土壌に浸透させるように貯留し得るように、透水性材料にした請求項１５から１８のいずれかに記載の地下構造物。
【請求項２０】
水を、池、運河または同様のものなどの下水システムにまたは他の排水システムに後ほど（ゆっくりと）放出するように一時的に貯留するために、かつ／または、水を、（飲料水以外の用途で）家庭内で利用するために再利用するように貯留するために、透水性材料にした請求項１５から１８のいずれかに記載の地下構造物。
【請求項２１】
フィルタ要素、カバー、入口、コネクタ、円錐形のアダプタなどの１つまたはそれ以上の特定の要素を含む請求項１５から２０のいずれかに記載の地下構造物。
【請求項２２】
浸透または減衰目的で複数の浸透ブロックを組み合わせて地下構造物（２）にするように適合されたプラスチック浸透ブロックであって、前記浸透ブロックは、対向する、第１の面の対、第２の面の対および第３の面の対を有する実質的に長方形で平行六面体状の本体を含んでおり、
１つまたはそれ以上の点検用チャネル部分品が、前記第３の面同士の間を延び、また、点検用チャネル開口部が前記第３の面に配置され、それにより、各点検用チャネル開口部の面積は、各点検用チャネル開口部が配置される前記第３の面の面積の大きさの少なくとも１０％であり、かつ、前記浸透ブロックは、１つまたはそれ以上の一部品型プラスチック浸透ブロック要素からなり、
各一部品型プラスチック浸透ブロック要素は、複数のダクト壁の格子により実質的に形成され、当該複数のダクト壁は、実質的に平行で、各第１の面と、前記浸透ブロック要素の１つまたはそれ以上の点検用チャネルとの間、および各第２の面と前記浸透ブロック要素の１つまたはそれ以上の点検用チャネルとの間を延びるダクトを形成する、浸透ブロック。
【請求項２３】
請求項１から２２の１つまたはそれ以上の請求項に係る一部品型のプラスチック浸透ブロック要素の製造方法であって、
前記浸透ブロック要素の少なくとも１つの点検用チャネル部分品（３）を画定する１つまたはそれ以上のコアと、
実質的に平行で、各第１の面と前記浸透ブロック要素の１つまたはそれ以上の点検用チャネルとの間、および各第２の面と前記浸透ブロック要素の１つまたはそれ以上の点検用チャネルとの間を延びる前記ダクトを形成する複数のコアと、
を備える型を使用する製造方法。
【発明の詳細な説明】
【技術分野】
【０００１】
本発明は、プラスチック浸透ブロックに関し、このプラスチック浸透ブロックは、複数の浸透ブロックを組み合わせて浸透または減衰目的の地下構造物にするように適合されている。このような構造物は、一般に、地下に配置されて、過剰の（雨）水を集水し、次に水を周りの土壌の中に浸透させる（浸透）ために貯留し得るか、あるいは次に下水システム内に、または池もしくは運河などの他の排水システム内にゆっくりと放出させる（減衰）か、または（飲料水以外の用途で）家庭内で利用するように再利用するために、一時的に貯留し得る。しかしながら、水が染み込んで重くなった土壌の排水などの他の適用も考えられる。
【背景技術】
【０００２】
地下構造物は、一般に、例えば、道路または駐車場の下に組み込んだとき、土壌の荷重に耐え、場合によって通行車の荷重に耐えるのに十分な強度と安定性がある。
【０００３】
浸透ブロックには、一般に、点検用チャネルが存在し、前記チャネルは、点検および／または洗浄機器が、場合によっては角も廻って、通過し得るような大きさである。１つまたはそれ以上の点検用チャネルを囲む地下構造物の一部分は、洗浄を行い得るように十分に開口している。
【０００４】
種々のタイプのこのような浸透ブロックが、知られており、地下の浸透または減衰用構造物に用いられている。
【０００５】
欧州特許第１２６０６４０号明細書では、１つの基礎壁と、それに連結された種々の壁とから組み立てられた、実質的に長方形で平行六面体状の本体を具える浸透ブロックが、記載されている。壁はプレート状であり網目状構造を有しているので、浸透ブロックは、透水性がある。壁によって、水を貯留できる容量が定められる。浸透ブロックは、さらに、点検用チャネルを備え、この点検チャネルは、基礎壁に平行で、浸透ブロックの中を延び、両端に開口部を有する。点検用チャネルの開口部は、点検用チャネル開口部が配置される浸透ブロックの面のほぼ１／３に及ぶ。
【０００６】
このタイプの浸透ブロックは、網目状の壁からなる、かなり閉鎖された構造なので、ごみが詰まりやすい。洗浄には、高圧ウォータージェットを使用する必要があり、これは、一般に浸透または減衰用構造物を囲んでいる浸透用の透水（布）層または減衰用の不透水層に損傷を与えかねないので、望ましくない。
【発明の開示】
【発明が解決しようとする課題】
【０００７】
本発明の目的は、浸透ブロックの質量は好ましくは小さいままで、１つまたはそれ以上の他の浸透ブロックと容易に組み合わせて、所望の強度および安定性を有する地下構造物にし得る代替浸透ブロックを提供することである。
【課題を解決するための手段】
【０００８】
ブロックからなる構成には、その構造物内のどこの点検および洗浄もできるように、十分に接近し得ることが好ましい。本発明の浸透ブロックでの地下構造物の組立時間が短縮され得る。
【０００９】
第１の態様によれば、本発明は、請求項１に係る浸透ブロックを提供する。
【００１０】
１つまたはそれ以上の点検用チャネルの点検用チャネル部分品は、単一または複数の浸透ブロック要素を結合することにより定められる。したがって、１つの浸透ブロックは、１つまたはそれ以上の結合された浸透ブロック要素からなる。少なくとも１つの浸透ブロック要素は、実質的に長方形で平行六面体状の本体を具える一部品型のプラスチック構造体である。浸透ブロック要素により定められる１つまたはそれ以上の点検用チャネル部分品の一部の対向する面に、浸透ブロック要素は、少なくとも１つの中間部分が配置された間に側部を有する。浸透ブロックは、点検用チャネルの浸透ブロックの外側から延び隣接する複数のダクトを備える。ダクトは、射出成形型の複数の長いコアにより作り出されることが好ましく、当該型において、一部品型のプラスチック浸透ブロック要素が成形されることが好ましい。このようにして、ごみが詰まることが妨げられるのに十分大きく広く、かつ透水性が十分で、端が開口したダクトが得られる。ダクトは、例えば、断面が長方形の、真っ直ぐ長いダクトであることが好ましい。好ましい実施形態では、平行なダクトの組が、浸透ブロックの各第１の面と第２の面とにそれぞれ直角に配置される。
【００１１】
浸透ブロックは、輸送時に、また建造場所において取り扱いやすいことが好ましい。レンガのように積み重ね得る寸法であるばかりでなく、質量も軽いことが好ましい。浸透ブロックの寸法、長さ〜幅〜高さの関係が２：１：１であることが最適である。これによって、ブロックを対角線方向、水平方向および垂直方向に積み重ねて、ロバスト複層構造体を得ることができる。
【００１２】
地下構造物を、フィルタおよび洗浄機器を有する（既知の）点検チャンバまたはマンホールと組み合わせて、ごみ、沈泥などができる限り構造体に入らないようにし得ることが好ましい。
【００１３】
点検用チャネルの形状は、（好ましくは角が丸い）長方形または楕円形などの他の種々の形状であってもよいが、構造体の強度を高めるためには、丸いかまたは円形であることが好ましい。１つまたはそれ以上の点検用チャネルの断面は、浸透ブロック要素の長さにわたって同形であることが好ましい。あるいは、点検用チャネル開口部における点検用チャネルの断面は、浸透ブロック内の点検用チャネルの断面と異なっていてもよい。
【００１４】
非常に好ましい実施形態では、平行な２つの点検用チャネルが、１つの浸透ブロックに設けられる。構造体をこのようにすることによって、強度と重量との間の関係が最適になると思われる。理論上は、平行なさらに多くの点検用チャネルを同様に設け得る。これらの平行な点検用チャネル同士の間に、１つまたはそれ以上の横断チャネルを延ばし得る。このような各横断チャネルの断面は、当該横断チャネルが配置されるブロックの対応の断面の少なくとも１０％であることが、好ましい。
【００１５】
浸透ブロック要素に１つまたはそれ以上の切り抜き補助部を設けて、中間体部分に貫通開口部が切り抜かれて前記貫通開口部が点検用チャネルに通じる助けにし得ることが好ましい。一旦、切り抜きが行われると、このような貫通開口部は、点検用チャネル開口部として作動し得る。これらの貫通開口部は、水平軸線および垂直軸線を有する点検用チャネル同士を連結するために用い得る。
【００１６】
進んだ実施形態では、特定の要素を点検用チャネル開口部および／または貫通開口部に配置する。このような特定の要素は、例えば、垂直方向の点検用チャネルに配置したフィルタ要素の場合があり、当該フィルタ要素は、取り外し可能であることが好ましい。このようなフィルタ要素は、砂および他の粒子を遮断するものとして作動し得る。フィルタ要素は、開口部内に降ろし、必要に応じて、点検および洗浄のために引き上げ得る。これらのいくつかのフィルタ要素を、地下構造物の入口のすぐ後に相互に重ねて組み込む場合がある。このような特定の要素はまた、開口部を閉鎖するカバーであってもよい。これらのカバーは、地下構造物の外側の点検用チャネル開口部に配置されることが好ましい。点検用チャネル開口部に配置し得る別の特定の要素は、浸透ブロックを別の浸透ブロックにあるいは入口または排出管に連結するための連結要素である。さらに別の特定の要素は、水が流れ得るチャネルを、隣接する貫通開口部の大きさまで狭くするように、点検用チャネルに配置し得る円錐形のアダプタである。これは、浸透ブロックの点検用チャネル開口部が別の浸透ブロックの貫通開口部に配置される場合である。このようなアダプタは、機器（点検、洗浄、または測定機器など）を底部の点検用チャネルに入れるための案内部として機能し、切り抜き補助部を取り外したことに対して、底部の補強部として機能し、底部浸透ブロックと上部浸透ブロックとの間の剪断連結要素として機能し得る。さらに、このようなアダプタは、浸透ブロックと点検用チャネルとの角にごみが詰まるのを妨げ得る。
【００１７】
全ての点検ブロック要素に、浸透ブロック要素同士を相互に連結するように１つまたはそれ以上の連結手段が設けられることが好ましい。相互に連結された浸透ブロック要素が、浸透ブロックを形成し、当該浸透ブロック自体は、地下構造物を形成するように相互に連結し得る。地下構造物は、迅速かつ容易に組み立てられ得ることが好ましい。したがって、浸透ブロック同士を連結する簡易な連結手段が必要である。さらに、浸透ブロックは、できるだけ少数の浸透ブロック要素からなることが好ましい。同一の浸透ブロック要素を組み合わせて浸透ブロックを形成することがもっとも好ましい。
【００１８】
好ましい実施形態では、浸透ブロック要素に、フォークリフトのフォークを受け入れるための２つまたはそれ以上の平行なフォークリフトチャネルを設ける。これによって、フォークリフト車が装置を吊り上げ得る。このようにして、地下構造物の組立は、容易になり、時間が短縮され得る。しかしながら、フォークリフトのフォークが下側にくるように浸透ブロックを地面から若干離して立てるために、浸透ブロックに（取り外し得る）脚部を設けることもできる。
【００１９】
一部品型の浸透ブロック要素は、射出成形により一体的に製造されることが好ましい。浸透ブロック要素が製造される射出成形型は、点検用チャネル部分片を形成するコア要素に隣接してまたはそれを囲む複数の水平方向のコアおよび垂直なコアを含む。このようにして、ダクトは、プラスチックが成形される射出成形型の複数の長いコアにより作り出される。こうして、ごみで詰まることを妨げるのに十分な大きさ、広さであり、透水性が十分なダクトが得られる。好ましい実施形態では、平行なダクトの組が、第１および第２の面にそれぞれ直角に配置される。
【００２０】
地下構造物の一実施形態では、水平方向の長手方向軸線を有する点検用チャネルを得られるように、浸透ブロックを連結する。別の実施形態では、垂直な長手方向軸線を有する点検用チャネルを得られるように、浸透ブロックを連結する。あるいは、垂直な長手方向軸線を有する点検用チャネルと、水平方向の長手方向軸線を有する点検用チャネルとを組み合わせた地下構造物の一実施形態があり得る。水平方向のチャネルおよび垂直なチャネルの組み合わせなどの点検用チャネルへの接近が最適に行われることが望ましい。浸透ブロックを水平方向のおよび垂直な点検用チャネルと組み合わせるために、特定の連結手段を使用する。この目的のために、貫通開口部を中間体部分に切り抜いて前記貫通開口部が点検用チャネルに通じる助けとなるように、浸透ブロック要素に１つまたはそれ以上の切り抜き補助部が設けられることも予測される。
【００２１】
本発明はまた、浸透または減衰目的で複数の浸透ブロックを組み合わせて地下構造物（２）にするように適合された、請求項２１に係るプラスチック浸透ブロックに関する。
【００２２】
本発明はまた、請求項２２に記載の一部品型のプラスチック浸透ブロック要素の製造方法に関する。
【００２３】
さらに、本発明は、点検用チャネル開口部に配置し、かつ／または切り抜き補助部に作り出される貫通開口部に配置し得る特定の要素に関する。
【発明を実施するための最良の形態】
【００２４】
ここで、好ましい実施形態を参照して、本発明をさらに詳細に説明する。
【００２５】
図１に、本発明に係る浸透ブロック１の第１の実施形態を示す。浸透ブロック１は、実質的に長方形で平行六面体状の本体を有し、対向する一対の第１の面Ａと、対向する一対の第２の面Ｂと、対向する一対の第３の面Ｃとを有する。
【００２６】
２つの平行な点検用チャネル３ａ、３ｂが、第３の面Ｃ同士の間を第１の面Ａに平行に浸透ブロック１の中を延びる。点検用チャネル３ａ、３ｂには、浸透ブロック１の対向する面Ｃに点検用チャネル開口部４が配置されている。
【００２７】
この図における点検用チャネル３ａおよび３ｂの断面は、円形であることが好ましく、また、好ましい場合、点検用チャネルの長さにわたって同形である。
【００２８】
各点検用チャネル開口部４の面積は、それが配置される浸透ブロック１の面５の面積の大きさの１０％を超える。各点検用チャネルの面積は、点検および／または洗浄機器が、場合によっては角を回って、通過し得るのに十分な広さである。面Ｃの２つの点検用チャネル開口部４により覆われた全面積は、面Ｃの５０％を超える。
【００２９】
平行な点検用チャネル３ａと３ｂとの間に、本実施形態では、１つの横断チャネル９が延びている。この図の横断チャネル９は、断面が円形であり、当該断面は、横断チャネル９が配置される浸透ブロック１の対応の断面の１０％を超える断面に及ぶ。
【００３０】
図１のブロック１は、適切な型の中で形成された一部品型のプラスチック構造物のように、単一の一体式ブロックであってもよい。これは、前記横断チャネル９がない場合に特に有効であって、これも、本発明の範囲内である。
【００３１】
ブロック１の本体は、２つの点検用チャネル３ａおよび３ｂの対向する側の側部体部分７ａ、７ｂ、および７ｃと、側部体部分７ａ、７ｂおよび７ｃ同士の間の２つの中間体部分８ａおよび８ｂとにより、実質的に形成される。分かるように、外側の側部体部分７ａ、７ｃは、ブロックの面Ａを画定し、また、中間体部分は、ブロックの面Ｂを画定する。
【００３２】
前記一部品型のプラスチック構造物浸透ブロック１の側部体部分および１つまたはそれ以上の中間体部分は、実質的にダクト壁の格子により形成され、これらのダクト壁は、各第１の面Ａと、浸透ブロック要素の１つまたはそれ以上の点検用チャネルとの間を延びる、実質的に平行なダクト１７ｂと、各第２の面Ｂと浸透ブロック１の１つまたはそれ以上の点検用チャネルとの間を延びる、実質的に平行なダクト１７ａと、を形成する。
【００３３】
本実施形態では、ここに示す全ダクト１７ａ、ｂは、端部がブロックの外側の面において開口し、ダクト１７ａ、ｂの大多数は、他方の端部も開口しているので、点検用チャネルと連通している。
【００３４】
図１において分かるように、いくつかのダクトは、点検用チャネルの近くの端部に、端壁を有し、これらの端壁の殆どには、水を通過させるための孔が設けられている。図１に、円形の、また細長い溝つきの孔が認められる。
【００３５】
ダクト１７ａ、ｂは、この図では、ダクトが延びる面に直角に配置されて、二組の相互に直角のダクトが、得られる。
【００３６】
本実施形態では、ダクト１７ａ、ｂは、断面が実質的に長方形であって、当該断面は、この図では、ダクトの長さにわたって実質的に同形である。
【００３７】
本実施形態に示すダクト１７ａ、ｂは、プラスチックがその周りに成形される射出成形型の複数の長い孔により作り出される。このように、ごみが詰まるのを妨げるのに十分な大きさおよび広さで、透水性が十分なダクト１７ａ、１７ｂが、得られる。浸透ブロックは、非常に開放的な構造であり、ごみが詰まるのを最大限妨げられ、さらに浸透ブロックの殆ど全領域に、広い点検用チャネル３ａおよび３ｂを介して、アクセス可能であり洗浄し得る。
【００３８】
ここに示した実施形態では、凹所４ａが、各点検用チャネル開口部４の周りの、浸透ブロック１の面５ａおよび５ｂ（図示せず）に存在する。これらの凹所４ａの機能を図７〜図１０に関連して説明する。
【００３９】
切り抜き補助部１８が、ここに示す浸透ブロック１の中間体部分８ａにある。切り抜き補助部１８は、設備またはプレハブを工場で作製している間に、組み込まれて、中間体部分に貫通開口部を切り抜いて前記貫通開口部が点検用チャネルに通じる助けとなる。これらの貫通開口部は、水平軸線および垂直軸線でチャネル同士を連結するために使用し得る。一旦、このような貫通開口部は、切り抜かれると、点検用チャネルの開口として作動し得る。当該開口は、望ましい場合、カバーで閉鎖され得る。このような貫通開口部はまた、浸透ブロックを別の浸透ブロックにあるいは入口または排出管に連結するための連結要素を配置するために使用してもよい。このような貫通開口部の別の目的は、フィルタ要素を収容し得ることである。このようなフィルタ要素は、砂および他の粒子を遮断するものとして作動し得る。フィルタ要素は、開口部内に降ろされ、必要に応じて、点検および洗浄のために引き上げ得る。
【００４０】
図１に示した浸透ブロック１は、複数の浸透ブロックを結合して地下浸透構造物を形成し得る結合要素を受け入れるための凹所１９をさらに備える。
【００４１】
図１のものと同様に設計された浸透ブロックはまた、図２に示した要素１０のような、２つの、好ましくは同一の浸透ブロック要素から構成してもよい。２つの浸透ブロック要素１０からなるこのような浸透ブロック１００を、図３に示す。組み立てると、円形の点検用チャネル３０ａおよび３０ｂが、半円形の点検用チャネル部分品の対から作り出される。点検用チャネル３０ａおよび３０ｂは、対向する面Ｃ２に配置された点検用チャネル開口部４０を備える。これらの浸透ブロック要素は、例えば、凹所１９ｂ内において、連結手段（図示せず）により相互に連結されて、図３に示す浸透ブロック１００のような浸透ブロックを形成し得ることが好ましい。各点検用チャネルの開口部は、それが配置される面５０の面積の大きさの１０％を超える。２つの点検用チャネル開口部４０により覆われる全面積は、これらの２つの点検用チャネル開口部４０が配置される浸透ブロック５０の面の面積の大きさの少なくとも半分である。したがって、形成された点検用チャネルは、２つの浸透ブロック要素により画定される。
【００４２】
図２に示した浸透ブロック要素１０は、一部品型のプラスチック構造物であり、実質的に長方形で平行六面体状の本体を有する。本体は、点検用チャネル３０ａおよび３０ｂの２つの半円形の点検用チャネル部分品の対向する側にある３つの側部体部分７０ａ、７０ｂおよび７０ｃから造られる。
【００４３】
図３の浸透ブロック１００において、浸透ブロック要素１００ａおよび１００ｂの２つの本体は、識別され、よって、二組の、浸透ブロック要素１００ｂの側部体部分７０ａ、７０ｂ、７０ｃと、浸透ブロック要素１００ａの側部体部分７０ａ’、７０ｂ’、７０ｃ’とも、識別し得る。点検用チャネル部分品の断面は、浸透ブロック要素の長さにわたって同形である。側部体部分７０ａ、７０ｂおよび７０ｃの間に、１つの中間体部分８０がある。側部体部分７０ａ’、７０ｂ’および７０ｃ’の間に、１つの中間体部分８０’があることを、図３に示す。側部体部分７０ｂおよび７０ｂ’を、横断チャネル部分品９０および９０’が延びている。単一の横断チャネルの断面は、浸透ブロック要素１０の対応の断面の１０％を超えている。図２の浸透ブロック要素１０では、壁９０”が、横断チャネル９０にある。図３では、切り抜き補助部３９’が、ここに示した浸透ブロック１００の中間体部分８０’にある。切り抜き補助部３９’は、例えば、図１１に示す要素８１のような連結要素を配置し得る開口部３９ａを備える。貫通開口部３９が、反対側の中間体部分８０にある。
【００４４】
本発明に係る浸透ブロック要素は、射出成形により一体的に製造されることが好ましい。図２に示す浸透ブロック要素を製造するために使用し得る射出成形型を、図４に示す。ここに示す型２０は、４つの主な成形要素２１と、２２ａおよび２２ｂと、２３とを含む。成形要素２１は、点検用チャネル部分品を画定する、ここでは半円形の、２つのコア２１ａを含む。対向した成形要素２２ａおよび２２ｂは、成形要素２１に直角に可動であり、各成形要素２２ａおよび２２ｂは、複数あり、二次元の配列において、ここに示す向きにされて、水平方向に平行なコア２２ｃを含む。成形要素２１と対向した側に、成形要素２３があり、当該成形要素２３はまた、複数あり、平行かつここに示す向きにされて、垂直なコア２３ｃを含む。水平方向のコアおよび垂直なコアは、ダクト壁の格子同士の間に画定され、当該ダクト壁の格子が、浸透ブロックの外側から点検用チャネルへ延びる平行なダクトを形成する。成形要素２１、２２ａ、２２ｂ、２３を成形位置に持ってくると、合成樹脂が射出されて浸透ブロック要素が形成される。
【００４５】
図１および図３に係る浸透ブロックは、組み立てられ結合されて、図５に示す構造物２のような地下構造物が形成され得る。図５に示す地下構造物は、図２に示したような６つの浸透ブロック要素１０からなる。４つの浸透ブロック要素１０を組み立てて、図３に示したような２つの浸透ブロックを形成する。地下構造物は、垂直な長手方向軸線および円形の断面を有する２つの点検用チャネル１１および１２と、水平な長手方向軸線および円形の断面を有する２つの点検用チャネル（図示せず）と、水平な長手方向軸線および半円形の断面を有する２つの点検用チャネル１３および１４と、を含む。さらに、構造物は、横断チャネルを含む。
【００４６】
図１および図３に示したような４つの浸透ブロックからなる、本発明に係る地下構造物の別の実施形態を、図６に示す。この地下構造物は、図２に係る８つの浸透ブロック要素から組み立てられる。図６の地下構造物は、垂直な長手方向軸線および円形の断面を有する４つの点検用チャネル１５ａ〜ｄと、水平な長手方向軸線および円形の断面を有する２つの点検用チャネル１６ａおよび１６ｂとを、含む。
【００４７】
組み立てられた２つの浸透ブロック３１および３２の一部分の断面の概略を図７に示す。浸透ブロック３１の側部体部分３４ａおよび３４ｂと、浸透ブロック３２の側部体部分３５ａおよび３５ｂとが、点検用チャネル３３を囲んでいる。浸透ブロック３２の点検用チャネルの開口部３６と、浸透ブロック３１の点検用チャネルの開口部３７との周りに、図１に示す凹所４ａと同様に、凹所３６ａおよび３７ａが、浸透ブロックの面（図示せず）にそれぞれある。点検用チャネル開口部３７には、補強部３８が用いられている。この補強部３８は、点検用チャネルの開口部３７から点検用チャネル３３内へ押し出すことはできない。その理由は、補強部３８のカラー部３８ａが凹所３７ａおよび３６ａ内には嵌るが点検用チャネル３３内に嵌めるには大き過ぎるからである。
【００４８】
点検用チャネルの開口部に配置され、図１に示した凹所４ａおよび図６に示した凹所３６ａおよび３７ａのような、点検用チャネルの開口部の凹所内に嵌められるカラーを含む、特定の要素の種々の例を、図８、図９および図１０に示す。
【００４９】
図８に、結合された５つの浸透ブロック要素４１ａ、４１ｂ、４１ｃ、４１ｄおよび４１ｅから造られた地下構造物４１を示す。結合される要素４１ａおよび４１ｂからなる浸透ブロックの面４８において、２つの特定の要素４２および４３が、点検用チャネルの開口部内に配置される。特定の要素４２は、図７に示した部分３８に類似の補強部である。ここに示した補強部４２は、水が補強部４２を通り得るように、網目状構造である。特定の要素４３は、連結部であり、網目状部４３ａと、比較的直径が大きい中空円筒形部４３ｂと、円錐形部４３ｃと、直径が比較的小さい円筒形部４３ｄと、を備える。円筒形部４３ｂ、４３ｄと、円錐形部４３ｃとは、流入または排出管（図示せず）および／または点検用チャンバまたはマンホールに、浸透ブロックを連結するために使用され得る。この場合、直径が小さい管が、円筒形部４３ｄに連結され、または直径が大きい管が、円筒形部４３ｂに連結され得る。したがって、狭い凹所領域４３ｅが、円筒形部４３ｂに形成され、この円筒形部４３ｂは、直径が大きい管の連結が行われる場合、切断案内部として使用される場合がある。
【００５０】
特定の要素４４が、浸透ブロックの上部に配置され、当該浸透ブロックは、切り抜き補助部４６と同様の切り抜き補助部により作り出される貫通開口部４５の結合される要素４１ａおよび４１ｂからなる。特定の要素４４は、リング状で円錐形のアダプタであって、当該アダプタは、ここに示す浸透ブロック要素４１ｃにより部分的に画定される点検用チャネル４７内に配置されている。円錐形のアダプタ４４は、水がその中を通って流れ得る点検用チャネル４７の直径を、隣接する貫通開口部４５の直径の大きさまで狭くする。円錐形アダプタには、機器（例えば、点検、洗浄または測定機器）が入口開口部を介して底部の点検用チャネルに入るように案内するための円錐形の上面が、設けられ得る。さらに、円錐形アダプタは、切り抜き補助部を取り出すことにより貫通開口部が作り出されるのに対して、補強要素または底部の浸透ブロックとして使用できる。さらに、円錐形アダプタは、ロバストシステムを造り得る、上方浸透ブロックと下方浸透ブロックとの間の剪断連結要素として作動し得る。円錐形のアダプタ４４は、点検用チャネル４７を部分的に画定する浸透ブロック要素４１ｃの角にごみが詰まるのを妨げ得る。
【００５１】
図９に、結合されて、４つの浸透ブロック５１ａ、５１ｂ、５１ｃおよび５１ｄを形成する、８つの浸透ブロック要素から造られた地下構造物５１を示す。浸透ブロック５１ａの面５８には、図８に示した補強部４２および連結部４３と同様に、２つの特定の要素５２および５３が、点検用チャネルの開口部内に配置されている。浸透ブロック５１ｂの上部には、２つの特定の要素５４および５５が配置されている。特定の要素５４は、カバーであって、このカバー５４の下に配置されるがここには図示していない点検用チャネルを、封鎖する。カバー５４には透水性がなくてもよい。特定の要素５５は、例えば、波形の連結要素または他のタイプの軸管（図１０を参照）に地下構造物５１を連結するための連結要素であり、波形の連結要素または他のタイプの軸管は、一般的なカバーソリューション（図示せず）に連結され得るか、あるいは、特定の要素５５は、例えば、直径が大きな流入または排出管に連結するために使用してよい。また、当然ながら、特定の要素５５はまた、この目的のために水平方向に配置してよい。
【００５２】
図１０に、結合されて４つの浸透ブロック６１ａ、６１ｂ、６１ｃおよび６１ｄを形成する８つの浸透ブロック要素から建造された地下構造物６１を示す。浸透ブロック６１ｂの、ここには示していない面に、特定の要素６３が、図８に示した連結部４３と同様に、点検用チャネル６４ｂの点検用チャネル開口部に配置される。浸透ブロック６１ｃの上部に、特定の要素６５が配置されている。特定の要素６５は、図９の特定の要素５５を介して浸透ブロックに連結される波形の連結要素である。波形の連結要素はまた、別のタイプの軸管でもよく、地下構造物６１を、例えば、通常点検用チャンバおよびマンホールを覆うためにも使用される一般的なカバーソリューション（図示せず）に連結するために使用される。カバーソリューションによって、例えば、点検、洗浄または他の種類のメンテナンス活動のための地下浸透システム（６１）に接近し得る。
【００５３】
図１１に、図３の開口部３９ａのような開口部に配置し得る、代わりの特定の要素８１を示す。同様の形状だが大きい特定の要素が、図１の切り抜き補助部１８を取り外すことにより生じ得るような貫通開口部内に、または図３に示したような貫通開口部３９内に配置され得る。特定の要素８１は、浸透ブロックの組立に使用されて地下構造物を形成し得る。このような連結要素８１によって、剪断されにくい浸透ブロックを土壌に造り得る。
【図面の簡単な説明】
【００５４】
【図１】本発明に係る浸透ブロックの斜視図である。
【図２】本発明に係る浸透ブロック要素の図である。
【図３】図２に示した浸透ブロック要素からなる本発明に係る浸透ブロックの図である。
【図４】図２に示した浸透ブロックを製造するために使用し得る射出成形型を示す図である。
【図５】本発明に係る浸透ブロック要素からなる第１の地下構造物を示す図である。
【図６】本発明に係る浸透ブロック要素からなる第２の地下構造物を示す図である。
【図７】組み立てた２つの浸透ブロックの部分断面の概略を示した図である。
【図８】点検用チャネルの開口部に配置された特定の要素の例を示す図である。
【図９】点検用チャネルの開口部に配置された特定の要素の例を示す図である。
【図１０】点検用チャネルの開口部に配置された特定の要素の例を示す図である。
【図１１】貫通開口部に配置し得る別の特定の要素の図である。
【図１】
2008502825.tif 000003
【図２】
2008502825.tif 000004
【図３】
2008502825.tif 000005
【図４】
2008502825.tif 000006
【図５】
2008502825.tif 000007
【図６】
2008502825.tif 000008
【図７】
2008502825.tif 000009
【図８】
2008502825.tif 000010
【図９】
2008502825.tif 000011
【図１０】
2008502825.tif 000012
【図１１】
2008502825.tif 000013
【国際調査報告】
2008502825.tif 000014
2008502825.tif 000015